(57)【要約】【課題】自然な虹彩模様を表現でき、この虹彩模様の印象等を容易に調整することができるコンタクトレンズを提供することを目的とする。【解決手段】本発明は、虹彩模様を有するコンタクトレンズであって、上記虹彩模様が、中心からの距離が一定ではない二重以上の環状着色線を備えることを特徴とする。上記各環状着色線の中心からの距離が周期的に変化することが好ましい。また、上記各環状着色線の一周期がランダム状ジグザグ線からなり、上記各環状着色線の周期数が２以上３０以下であることが好ましい。【選択図】図１
2013250352.tif 000002
【特許請求の範囲】
【請求項１】
虹彩模様を有するコンタクトレンズであって、
上記虹彩模様が、中心からの距離が一定ではない二重以上の環状着色線を備えることを特徴とするコンタクトレンズ。
【請求項２】
上記複数の環状着色線が互いに略相似形状である請求項１に記載のコンタクトレンズ。
【請求項３】
上記環状着色線の色彩、濃度又は輝度が、一の環状着色線内又は複数の環状着色線間において、連続的又は不連続的に変化している請求項１又は請求項２に記載のコンタクトレンズ。
【請求項４】
上記変化が濃度の外側方向への低下又は周方向への変化である請求項３に記載のコンタクトレンズ。
【請求項５】
最外周の上記環状着色線の幅が０．２ｍｍ以上２．５ｍｍ以下である請求項１から請求項４のいずれか１項に記載のコンタクトレンズ。
【請求項６】
上記複数の環状着色線の幅がそれぞれ異なる請求項１から請求項５のいずれか１項に記載のコンタクトレンズ。
【請求項７】
上記各環状着色線の中心からの距離が周期的に変化する請求項１から請求項６のいずれか１項に記載のコンタクトレンズ。
【請求項８】
上記各環状着色線の一周期がランダム状ジグザグ線からなり、
上記各環状着色線の周期数が２以上３０以下である請求項７に記載のコンタクトレンズ。
【請求項９】
上記虹彩模様が環状着色帯をさらに備え、
この環状着色帯の外側縁が、最外周の上記環状着色線の外側に形成される略円形である請求項１から請求項８のいずれか１項に記載のコンタクトレンズ。
【請求項１０】
上記環状着色線における中心から最短の環状着色線上の点までの距離をｒ、レンズの半径（Ｒ）と上記ｒとの差（Ｒ−ｒ）をｘとした場合、
最外周の上記環状着色線が、同一の中心を有し半径がｒ＋０．１５ｘである円と半径がｒ＋０．９５ｘである円とに囲まれた領域に形成されている請求項１から請求項９のいずれか１項に記載のコンタクトレンズ。
【請求項１１】
上記環状着色線における中心から最短の環状着色線上の点までの距離をｒ、レンズの半径（Ｒ）と上記ｒとの差（Ｒ−ｒ）をｘとした場合、
最内周の上記環状着色線が、同一の中心を有し半径がｒである円と半径がｒ＋０．８ｘである円とに囲まれた領域に形成されている請求項１から請求項１０のいずれか１項に記載のコンタクトレンズ。
【請求項１２】
上記環状着色帯の内側縁が最内周の環状着色線となる請求項９、請求項１０又は請求項１１に記載のコンタクトレンズ。
【発明の詳細な説明】
【技術分野】
【０００１】
本発明は、コンタクトレンズに関する。
【背景技術】
【０００２】
虹彩模様が施されたコンタクトレンズは、コスメティック用などの用途で用いられている。このようなコンタクトレンズとしては、より自然な虹彩模様を表現するため、アウターバースト模様やインナーバースト模様で虹彩模様を表現したものや、相互に連結した複数の線で虹彩模様を表現したものなど、様々な模様を施したものが開発されている（特開２０００−６６１４７号公報、特開平０３−１５０２０号公報、特表２００４−５０３８１５号公報、特表２００８−５１１０２５号公報及び特表平０４−５０５９７２号公報参照）。
【０００３】
しかし、これらのコンタクトレンズにおいても、自然な虹彩模様を十分に表現しているとは言い難い。また、これらは、虹彩模様が不規則な形状により形成されているため、例えば、用途等に応じて虹彩模様の印象を変化させようとする場合には、試行錯誤や経験則によって模様を調整する必要があるなど、虹彩模様の調整が容易ではない。
【先行技術文献】
【特許文献】
【０００４】
【特許文献１】特開２０００−６６１４７号公報
【特許文献２】特開平０３−１５０２０号公報
【特許文献３】特表２００４−５０３８１５号公報
【特許文献４】特表２００８−５１１０２５号公報
【特許文献５】特表平０４−５０５９７２号公報
【発明の概要】
【発明が解決しようとする課題】
【０００５】
本発明は、上述のような事情に基づいてなされたものであり、自然な虹彩模様を表現でき、この虹彩模様の印象等を容易に調整することができるコンタクトレンズを提供することを目的とする。
【課題を解決するための手段】
【０００６】
上記課題を解決するためになされた発明は、
虹彩模様を有するコンタクトレンズであって、
上記虹彩模様が、中心からの距離が一定ではない二重以上の環状着色線を備えることを特徴とする。
【０００７】
当該コンタクトレンズにおいては、虹彩模様が中心からの距離が一定ではない二重以上の環状着色線を備えており、このような形状の二重以上の環状着色線により自然な虹彩模様を表現することができる。また、当該コンタクトレンズによれば、二重以上の環状着色線の間隔、形状、凹凸の高さなどを変化させることで虹彩模様の印象等を容易に調整することができる。
【０００８】
上記複数の環状着色線が互いに略相似形状であることが好ましい。上記環状着色線をこのように形成することによって、より自然な虹彩模様を表現することができる。
【０００９】
上記環状着色線の色彩、濃度又は輝度が、一の環状着色線内又は複数の環状着色線間において、連続的又は不連続的に変化していることが好ましい。上記環状着色線をこのように形成することによっても、より自然な虹彩模様を表現することができ、また、このように色彩、濃度又は輝度を変化させることで、虹彩模様の印象等の調整も容易に行うことができる。
【００１０】
上記変化が濃度の外側方向への低下又は周方向への変化であることが好ましい。環状着色線の色変化をこのようにすることによって、さらに自然な虹彩模様を表現することができる。
【００１１】
最外周の上記環状着色線の幅が０．２ｍｍ以上２．５ｍｍ以下であることが好ましい。上記虹彩模様をこのように形成することによっても、より自然な虹彩模様を表現することができる。
【００１２】
上記複数の環状着色線の幅がそれぞれ異なることが好ましい。上記虹彩模様をこのように形成することで、より自然な虹彩模様を表現することができる。
【００１３】
上記各環状着色線の中心からの距離が周期的に変化することが好ましい。上記環状着色線が、このような周期性を有することで、より自然な虹彩模様を表現することができる。また、この周期を変化させることなどで、虹彩模様の印象等の調整も容易になる。
【００１４】
上記各環状着色線の一周期がランダム状ジグザグ線からなり、上記各環状着色線の周期数が２以上３０以下であることが好ましい。このようにすることで、より人の虹彩に近い模様を再現することができる。
【００１５】
上記虹彩模様が環状着色帯をさらに備え、この環状着色帯の外側縁が最外周の上記環状着色線の外側に形成される略円形であることが好ましい。上記環状着色帯は、黒目の外縁であるリンバルリングを表現するものとなる。従って、上記虹彩模様がこのような環状着色帯を備えることで、さらに自然な虹彩模様を表現することができる。
【００１６】
上記環状着色線における中心から最短の環状着色線上の点までの距離をｒ、レンズの半径（Ｒ）と上記ｒとの差（Ｒ−ｒ）をｘとした場合、
最外周の上記環状着色線が、同一の中心を有し半径がｒ＋０．１５ｘである円と半径がｒ＋０．９５ｘである円とに囲まれた領域に形成されていることが好ましい。最外周の上記環状着色線をこのように配置することで、さらに自然な虹彩模様を表現することができる。
【００１７】
上記環状着色線における中心から最短の環状着色線上の点までの距離をｒ、レンズの半径（Ｒ）と上記ｒとの差（Ｒ−ｒ）をｘとした場合、
最内周の上記環状着色線が、同一の中心を有し半径がｒである円と半径がｒ＋０．８ｘである円とに囲まれた領域に形成されていることも好ましい。最内周の上記環状着色線をこのように配置することによっても、さらに自然な虹彩模様を表現することができる。
【００１８】
上記環状着色帯の内側縁が最内周の環状着色線となることが好ましい。このようにすることで、環状着色帯（リンバルリング）が強調されるなど、虹彩模様の印象を変化させることができる。
【００１９】
ここで、「ジグザグ線」とは、直線が左右に何度も折れ曲がってなる線をいう。但し、折れ曲がる部分など、曲線の部分があってもよく、また、不連続な部分があってもよい。「一周期」とは、周期性を有しその繰り返しからなるジグザグ線の最小繰り返し単位をいう。「周期数」とは、一の環状着色線を構成するジグザグ線における上記最小繰り返し単位の数をいう。また、コンタクトレンズ全体及び各部分の形状並びにサイズは、特に断らない限り、コンタクトレンズを装着した状態を正面から見た際の平面としての形状、及び上記平面としての形状におけるサイズを示しているものとする。
【発明の効果】
【００２０】
以上説明したように、本発明のコンタクトレンズによれば、自然な虹彩模様を表現でき、この虹彩模様の印象等を容易に調整することができる。従って、当該コンタクトレンズは、コスメティック用途などに好適に用いることができる。
【図面の簡単な説明】
【００２１】
【図１】本発明の第一実施形態に係るコンタクトレンズを示す模式的平面図である。
【図２】（ａ）は第一実施形態に係るコンタクトレンズの内側の環状着色線を示す模式的平面図であり、（ｂ）は第一実施形態に係るコンタクトレンズの外側の環状着色線を示す模式的平面図である。
【図３】第二実施形態に係る虹彩模様を示す模式図である。
【図４】第三実施形態に係る環状着色線を示す模式図である。
【発明を実施するための形態】
【００２２】
以下、本発明のコンタクトレンズの実施の形態を、適宜図面を参照にしつつ詳説する。
【００２３】
（第一の実施形態）
図１のコンタクトレンズ１０は、コンタクトレンズ基材１１と、このコンタクトレンズ基材１１の表面に施された虹彩模様１２とを有する。
【００２４】
当該コンタクトレンズ１０の形状は、従来のコンタクトレンズと同様である。具体的には、当該コンタクトレンズ１０は、眼の角膜の表面に重ね合わされて装用されるように、球状凸面形状を有する表面と、球状凹面形状を有する裏面とを備える部分的な球殻形状である。
【００２５】
当該コンタクトレンズ１０のサイズとしては、特に限定されず、公知のコンタクトレンズと同様のサイズとすることができる。
【００２６】
コンタクトレンズ基材１１の材質としては、特に限定されず、公知の材料を用いることができる。具体的には、ＲＧＰレンズ（酸素透過性レンズ）やＰＭＭＡ（ポリメチルメタアクリレート）等のハードレンズの他、ＰＨＥＭＡ（ポリヒドロキシエチルメタクリレート）等の含水性やアクリル系エラストマー等の非含水性又はシリコーンハイドロゲル等の高酸素透過性などのソフトコンタクトレンズを採用することができる。特に、ソフトコンタクトレンズは、ハードコンタクトレンズに比して、一般に大径であり、模様を付与できる面積が広いため、好適に用いることができる。
【００２７】
当該コンタクトレンズ１０（コンタクトレンズ基材１１）は、角膜に重ね合わされる中央部分に対して特定の光学特性を持たせてもよい。この場合、当該コンタクトレンズ１０は、近視、遠視、乱視、老視等の視力異常に対する矯正機能を備えた視力矯正コンタクトレンズとして用いることができる。また、当該コンタクトレンズ１０は、上記中央部分に光学特性を持たない非視力矯正コンタクトレンズであってもよい。当該コンタクトレンズ１０が非視力矯正コンタクトレンズである場合、例えばコスメティック用などに用いることができる。
【００２８】
虹彩模様１２は、二重の環状着色線１３と、環状着色帯１４とを備えている。虹彩模様１２は、コンタクトレンズ基材１１表面の周辺領域に形成されている。
【００２９】
環状着色線１３は、内側（最内周）の環状着色線１３ａと外側（最外周）の環状着色線１３ｂとからなる。各環状着色線１３は、レンズ中心１５を中心とした同心円環上に配置されている。
【００３０】
内側の環状着色線１３ａと外側の環状着色線１３ｂとは、レンズ中心１５を中心とした略相似形である。上記環状着色線１３をこのように形成することによって、より自然な虹彩模様を表現することができる。この際の相似比としては、特に限定されないが、最内周の環状着色線（環状着色線１３ａ）を１とした場合の他の環状着色線（環状着色線１３ｂ）の相似比が１．０２以上３以下の範囲であることが好ましく、１．０２以上２以下の範囲であることがより好ましい。このような相似比とすることで、より自然な虹彩模様を表現することができる。
【００３１】
各環状着色線１３（１３ａ、１３ｂ）は、中心１５からの距離が一定ではない、非円形である。具体的には、各環状着色線１３は、中心１５からの距離が周期的に変化する周期性を有する線からなっている。上記環状着色線１３が、このように周期性を有することで、自然な虹彩模様を表現することができる。また、この周期を変化させることなどで、虹彩模様の印象等の調整も容易になる。
【００３２】
上記環状着色線１３の一周期はランダム状のジグザグ線からなる。図１の環状着色線１３においては、一周期は主として３つの凸部を有するジグザグ線で形成されている。各環状着色線１３は、この一周期の１２の繰り返しを含む。すなわち、周期数は１２となる。上記各環状着色線１３の周期数としては、特に限定されないが、２以上３０以下が好ましく、１２以上２４以下がより好ましい。このようにすることで、より人の虹彩に近い模様を再現することができる。
【００３３】
内側の環状着色線１３ａに内接する円の半径（ｒ）としては、特に限定されないが、３ｍｍ以上７．５ｍｍ以下が好ましく、４ｍｍ以上７ｍｍ以下がさらに好ましい。上記半径（ｒ）が３ｍｍ未満の場合は、装用した際に瞳孔に虹彩模様１２が重なりやすくなり、視界に影響を与えるおそれがある。逆に、上記半径（ｒ）が７．５ｍｍを超える場合は、虹彩模様１２が外側に位置しすぎたり、十分な幅を確保することができなくなったりするため、自然な虹彩模様を十分に表現できなくなる場合がある。
【００３４】
上記内側（最内）の環状着色線１３ａの凸部の高さとしては、特に限定されないが、０．２ｍｍ以上２．０ｍｍ以下が好ましい。また、上記外側（最外）の環状着色線１３ｂの凸部の高さとしては、特に限定されないが、０．５ｍｍ以上３．０ｍｍ以下が好ましい。このような高さを有する環状着色線１３とすることで、より自然な虹彩模様を再現することができる。なお、この環状着色線１３の凸部の高さは、この環状着色線１３に内接する円と外接する円との半径の差とする。
【００３５】
上記中心（レンズ中心１５かつ各環状着色線１３の中心）から最短の環状着色線１３上の点までの距離をｒ（内側の環状着色線１３ａに内接する円の半径と一致）、レンズ半径（Ｒ）と上記ｒとの差（Ｒ−ｒ）をｘ（環状着色帯１４の幅と一致）とした場合、最内周の上記環状着色線１３（内側の環状着色線１３ａ）が、同一の中心１５を有し半径がｒである円と半径がｒ＋０．８ｘである円とに囲まれた領域に形成されていることが好ましい（図２（ａ）参照）。上記環状着色線１３ａをこのように配置することによって、より自然な虹彩模様を表現することができる。
【００３６】
また、最外周の上記環状着色線１３（外側の環状着色線１３ｂ）が、同一の中心１５を有し半径がｒ＋０．１５ｘである円と半径がｒ＋０．９５ｘである円とに囲まれた領域に形成されていることが好ましい（図２（ｂ）参照）。上記環状着色線１３ｂと環状着色帯１４とをこのような関係に配置することによっても、より自然な虹彩模様を表現することができる。
【００３７】
各環状着色線１３の幅（線幅）としては、特に限定されないが、外側の環状着色線１３ｂの幅と、内側の環状着色線１３ａの幅とが異なることが好ましい。このように複数の環状着色線の幅を変えることで、より自然な虹彩模様を表現することができる。なお、この際、最外周の環状着色線の幅を他の環状着色線の幅より大きくすることがさらに好ましい。また、より自然な虹彩模様とするため、各環状着色線１３の幅と共に、又は幅と独立して、各環状着色線１３の間隔も適宜調整される。
【００３８】
具体的な内側の環状着色線１３ａ（他の環状着色線）の幅としては、例えば、０．０５ｍｍ以上２ｍｍ以下とすることができる。また、外側の環状着色線１３ｂ（最外周の環状着色線）の幅としては、０．２ｍｍ以上２．５ｍｍ以下が好ましく、０．５ｍｍ以上２ｍｍ以下がより好ましい。線幅をこのような範囲とすることで、より自然な虹彩模様を表現することができる。
【００３９】
上記各環状着色線１３の色としては、特に限定されず、本来の虹彩の色を再現できるような、例えば茶、緑、青等の有彩色や、黒、灰色等の無彩色とすることができる。また、各環状着色線の色は同一であっても異なっていてもよく、一の環状着色線に複数の色が施されていてもよい。
【００４０】
上記環状着色線１３の色彩、濃度又は輝度は、連続的又は不連続的に変化していることが好ましい。上記環状着色線１３をこのように形成することによって、より自然な虹彩模様を表現することができる。また、このように環状着色線１３の色彩、濃度又は輝度を変化させることで、虹彩模様の印象の調整も容易に行うことができる。
【００４１】
上記環状着色線１３における色彩、濃度又は輝度の変化の中でも、濃度を外側方向へ低下させる、すなわちグラデーションをつけることが好ましい。このようなグラデーションをつけることで、さらに自然な虹彩模様を表現することができる。この色彩、濃度又は輝度の変化（外側方向への濃度の低下等）は、一つの環状着色線において変化させてもよいし、一つ一つの環状着色線の濃度は変化せず、各環状着色線間で変化させてもよい。
【００４２】
環状着色帯１４は、この外側縁が外側（最外周の）環状着色線１３ｂの外側に形成されるように設けられている。この環状着色帯１４の外側縁は略円形となっている。上記環状着色帯１４は、黒目の外縁であるリンバルリングを表現するものとなる。従って、上記虹彩模様１２がこのような環状着色帯１４を備えることで、さらに自然な虹彩模様を表現することができる。また、当該コンタクトレンズ１０は、黒目の外径を大きく、かつ外縁をはっきりと強調して明確にすることなどができる。
【００４３】
上記環状着色帯１４の内側縁は、内側の環状着色線１３ａと一致している。このようにすることで、環状着色帯（リンバルリング）が強調されるなど、虹彩模様を強調することができる。
【００４４】
すなわち、環状着色帯１４の内径は、上述した内側の環状着色線１３ａに内接する円の半径（ｒ）に一致する。
【００４５】
環状着色帯１４の外径としては、３．１ｍｍ以上７．５ｍｍ以下が好ましい。上記外径（Ｒ）が３．１ｍｍ未満の場合は、十分な幅の環状着色帯１４を形成しにくくなる。一方、上記外径（Ｒ）が７．５ｍｍより大きいと、環状着色帯１４（リンバルリング）で覆われないでリンバルリングの外周側に位置する白目の領域が小さくなり過ぎる。このような場合、環状着色帯１４による強調効果が不十分になるなどして不自然に見られたり、目的とする眼の美しさの向上効果が充分に達成され難くなるおそれがある。
【００４６】
なお、環状着色帯１４の外側縁は、コンタクトレンズ１０の外縁と一致していてもよいが、コンタクトレンズ１０の外縁より小さくしてもよい。すなわち、環状着色帯１４の外径をコンタクトレンズ１０の半径（Ｒ）より小さくすることもできる。このようにすることで、コンタクトレンズ１０のサイズにかかわらず、環状着色帯１４の外径を大きな自由度で設定することが可能となる。
【００４７】
環状着色帯１４の幅（外径と内径との差）としては、特に限定されないが、０．１ｍｍ以上４．５ｍｍ以下が好ましく、０．５ｍｍ以上２．５ｍｍ以下がより好ましい。この幅を０．１ｍｍ以上とすることにより黒目を大きく見せる等のコスメティック効果の向上を図ることができる。一方、４．５ｍｍ以下とすることにより外観上でリンバルリングが不自然になるのを効果的に防止することができる。
【００４８】
環状着色帯１４の色としては、特に限定されないが、環状着色線１３とは異なる色であることが好ましい。環状着色線１３と環状着色帯１４とを異なる色で構成することで、より自然な虹彩模様を表現でき、また、各模様が強調される。
【００４９】
環状着色帯１４の色は、人の黒眼を自然に表現すべく、黒又は茶系が好ましい。環状着色帯１４の色相は、例えばマンセルの表色系で把握される。具体的には、マンセルの色相環において、５つの基本色の各中間に計５つを設けた（Ｒ，ＹＲ，Ｙ，ＧＹ，Ｇ，ＢＧ，Ｂ，ＰＢ，Ｐ，ＲＰ）計１０の色相を想定した場合には、上記黒又は茶系として、色相がＹＲであり、明度が０以上５以下であることが好ましい。また、Ｇ又はＢを含む色（ＧＹ，Ｇ，ＢＧ，Ｂ，ＰＢ）も好ましく、これらの暗色が更に好ましい。
【００５０】
環状着色帯１４は複数の着色ドットからなるドットパターンで形成することができる。また、環状着色帯１４をドットではなく、ベタ塗りにて形成してもよい。
【００５１】
環状着色帯１４は、この全領域を同一の濃度とすることもできるが、外周部分の濃度を、内周側から外周側に低下させてもよい。また、環状着色帯１４の内周部分には、径方向所定幅で濃度が一定とされた領域を設けてもよい。環状着色帯１４をこのような濃度で着色することで、より自然な感じのリンバルを表現することができる。なお、この環状着色帯１４の濃度変化は、上述の複数のドットのサイズ、数密度、ドット自体の濃度の変化などにより調整することができる。
【００５２】
当該コンタクトレンズ１０の製造方法は、特に限定されず、例えば、コンタクトレンズ基材１１表面に、虹彩模様１２を公知の方法で着色すればよい。上記虹彩模様１２の着色の方法としては、写真印刷、スクリーン印刷、パッド印刷、インクジェット印刷等の印刷や、コンタクトレンズ基材の形成の際のモノマー添加、その他手描きによる方法等を挙げることができる。これらの中でも、レンズ基材１１表面が球面状であることや、量産性、着色精度、色の再現性等を考慮すると、印刷が好ましく、パッド印刷又はインクジェット印刷がさらに好ましい。
【００５３】
パッド印刷を用いる方法としては、例えば金属板に対してエッチング処理で形成したドットパターンに着色剤を充填した後、シリコンパッドを用いてドットパターンの着色剤を移し取り、コンタクトレンズ基材１１に対して、かかるドットパターンの着色剤を転写することにより行う。
【００５４】
インクジェット印刷は、ピエゾ素子等をアクチュエータとして着色剤を微小な多数のノズルから吹出させて、被着色面となるコンタクトレンズ基材１１表面に対して直接に被着させるものである。このようなインクジェット印刷では、コンタクトレンズ基材へのパッド等の押圧が不要であり、微小なドットを高精度に形成できること等から、特に好適である。
【００５５】
なお、上記方法以外の製造方法としては、コンタクトレンズ基材１１の表面と裏面との層間に、虹彩模様１２を着色層として配置させる方法を挙げることができる。この具体的方法としては、表面又は裏面側の半層の表面に着色層を設け、残りの半層を接着する方法があげられる。このようにすれば、着色層の両面側にそれぞれ透明層を設けた積層構造のコンタクトレンズを得ることができる。なお、上記着色層は、上述したような印刷にて形成することの他、着色剤を溶解させた着色の成形モノマーを用いて着色樹脂層として形成することもできる。なお、着色層の形成方法や透光性等にもよるが、各少なくとも一層の着色層と透明層からなる積層構造を採用する場合には、各透明層の層厚さを５μｍ〜３００μｍとすると共に、各着色層の層厚さを０．２μｍ〜１００μｍとすることが好ましい。特に着色層として、パッド印刷やインクジェット印刷等による印刷層を採用する場合には、透明層よりも印刷層の厚さが小さく設定されることが好ましい。
【００５６】
（第二実施形態）
第二の実施形態として図３に示す虹彩模様２２は、着色環状帯を有さず、二重の環状着色線２３ａ及び２３ｂのみからなる。このように環状着色線のみからなる虹彩模様２２を備えるコンタクトレンズも、人の虹彩の模様を良好に再現させることができる。
【００５７】
（第三実施形態）
第三の実施形態として図４に示す二重の環状着色線３３（３３ａ及び３３ｂ）は、それぞれ不連続なジグザグ線からなる。すなわち、各環状着色線３３（３３ａ及び３３ｂ）は、濃度が周方向に不連続に変化している。また、濃度の他、色彩や輝度を不連続に変化させてもよい。環状着色線をこのように形成することによっても、より自然な虹彩模様を表現することができ、また、このように色彩、濃度又は輝度を変化させることで、虹彩模様の印象等の調整も容易に行うことができる。なお、図４は、環状着色線３３のみを表現しているが、環状着色帯（リンバルリング）と組み合わせた虹彩模様とすることもできる。
【００５８】
（他の実施形態）
本発明のコンタクトレンズは、上記実施形態に限定されるものではない。例えば、本発明のコンタクトレンズにおいては、虹彩模様が三重以上の環状着色線からなっていてもよい。虹彩模様は、環状着色帯を有していなくてもよい。環状着色帯は、最内周の内側にまで広がって設けられていてもよい。また、環状着色線は、中心からの距離が一定ではなければ、周期性を有さない形状であってもよく、複数の環状着色線が異なる形状（非相似形）であってもよい。このように、環状着色線の数や、形状等を変化させることで、虹彩模様の印象等の調整を行うこともできる。
【００５９】
その他、本発明のコンタクトレンズは、上記虹彩模様が環状着色線及び環状着色帯以外の模様を備えていてもよいし、虹彩模様以外の模様がコンタクトレンズに付されていてもよい。
【産業上の利用可能性】
【００６０】
以上説明したように、本発明のコンタクトレンズは、自然な虹彩模様を表現でき、この虹彩模様の印象等を容易に調整することができる。従って、当該コンタクトレンズは、コスメティック用途などに好適に用いることができる。
【符号の説明】
【００６１】
１０  コンタクトレンズ
１１  コンタクトレンズ基材
１２、２２  虹彩模様
１３、１３ａ、１３ｂ、２３ａ、２３ｂ、３３、３３ａ、３３ｂ  環状着色線
１４  環状着色帯
１５  中心
【図１】
2013250352.tif 000003
【図２】
2013250352.tif 000004
【図３】
2013250352.tif 000005
【図４】
2013250352.tif 000006